(57)【要約】      （修正有）【課題】車両用灯具の奥行き寸法を従来以上に短くすることが可能な、導光板を用いた車両用灯具を提供する。【解決手段】投影レンズ２０、導光板１１及び光源１２を備えた車両用灯具１００において、導光板は、基端部１１ａ、基端部に対し、投影レンズの焦点カーブ近傍において投影レンズ側に湾曲した導光板本体１１ｂ、及び、反射面１１ｃを含んでおり、導光板本体は、投影レンズ側に傾斜した出射面としての円柱面又は錐面、その反対側の裏面、及び、プリズム面を含んでおり、出射面の下端縁は、焦点カーブに沿った形状に形成されており、反射面に到達した光源からの光線を、出射面に対する入射角が臨界角内となるように投影レンズの焦点カーブ近傍に向けて反射し、出射面上に周囲の輝度よりも高い高輝度部分を形成するための反射面とする。【選択図】図３
2010212203.tif 000002
【特許請求の範囲】
【請求項１】
光軸を含む水平面と像面との交線である焦点カーブが楕円形状又は円弧形状となる投影レンズ、可視光領域で透明な材料からなる導光板及び光源を備えた車両用灯具において、
前記導光板は、基端部、前記基端部に対し、前記投影レンズの焦点カーブ近傍において前記投影レンズ側に湾曲した導光板本体、及び、反射面を含んでおり、
前記導光板本体は、前記投影レンズ側に傾斜した第２出射面としての円柱面又は錐面、その反対側の第２裏面、及び、プリズム面を含んでおり、
前記第２出射面の下端縁は、前記焦点カーブに沿った形状に形成されており、
前記基端部は、前記光源から照射される光線を前記導光板内部に入射させるための入射面、前記第２出射面の下端縁を下方に引き延ばした第１出射面及びその反対側の第１裏面を含んでおり、
前記第１出射面及び第２出射面は、前記投影レンズ側に形成されており、
前記第１裏面及び第２裏面は、前記投影レンズとは反対側に形成されており、
前記反射面は、前記第１裏面と第２裏面の間、又は、前記第１裏面に形成されており、
前記プリズム面は、前記入射面から前記導光板内部に入射して導光され、当該プリズム面に到達した前記光源からの光線を、前記第１出射面及び第２出射面に対する入射角が臨界角内となるように当該第１出射面及び第２出射面に向けて反射し、当該第１出射面及び第２出射面上に輝度分布を形成するためのレンズカット面であり、
前記反射面は、前記入射面から前記導光板内部に入射して導光され、当該反射面に到達した前記光源からの光線を、前記第１出射面及び第２出射面に対する入射角が臨界角内となるように前記投影レンズの焦点カーブ近傍に向けて反射し、前記第１出射面及び第２出射面上に周囲の輝度よりも高い高輝度部分を形成するための反射面であり、
前記投影レンズは、前記第１出射面及び第２出射面上に形成された輝度分布を反転、拡大投影し、所定配光パターンを形成するためのレンズであることを特徴とする車両用灯具。
【請求項２】
前記反射面は、第１焦点が前記光源近傍に設定され、第２焦点が前記投影レンズの焦点カーブ近傍に設定された楕円系反射面であることを特徴とする請求項１に記載の車両用灯具。
【請求項３】
前記第１焦点は、前記導光板内部に入射して導光される前記光源からの光線が入射面で屈折することにより形成される虚像の中心近傍に設定されていることを特徴とする請求項２に記載の車両用灯具。
【請求項４】
前記反射面は、前記第２裏面と傾斜角度が同一の平面形状又は曲面形状の反射面であることを特徴とする請求項１に記載の車両用灯具。
【請求項５】
前記反射面は、前記第２裏面と傾斜角度が異なる平面形状又は曲面形状の反射面であることを特徴とする請求項１に記載の車両用灯具。
【請求項６】
前記反射面には、前記光源からの光線を、前記第１出射面及び第２出射面に対する入射角が臨界角内となるように前記投影レンズの焦点カーブ近傍に向けて反射し、前記第１出射面及び第２出射面上に周囲の輝度よりも高い高輝度部分を形成するためのプリズム面が形成されていることを特徴とする請求項４又は５に記載の車両用灯具。
【請求項７】
前記第１裏面及び第２裏面は、反射シートで覆われていることを特徴とする請求項１から６のいずれかに記載の車両用灯具。
【請求項８】
前記反射シートは、前記第１裏面又は前記第２裏面から外部に透過した前記光源からの光線を、再び前記導光板に入射させ、前記第２出射面を介して前記投影レンズに入射させるように反射する外側に凸の反射面を含んでいることを特徴とする請求項７に記載の車両用灯具。
【請求項９】
前記第１出射面は、水平線に対応するラインに沿って伸びる上端縁を有する反射シートで覆われていることを特徴とする請求項１から８のいずれかに記載の車両用灯具。
【請求項１０】
前記第１出射面は、当該第１出射面に到達した光源１２からの光線を、導光板本体の端部に向けて反射する反射面として形成されていることを特徴とする請求項１から９のいずれかに記載の車両用灯具。
【請求項１１】
前記第１出射面と第２出射面の間には、前記第２出射面に近いほど傾斜が大きくなるように傾いた曲面が形成されていることを特徴とする請求項１から１０のいずれかに記載の車両用灯具。
【請求項１２】
前記第２出射面は、前記投影レンズ側に傾斜した円柱面を当該円柱面の一端面と側面とを通る平面で切断することにより形成されるハーフドーム形状であることを特徴とする請求項１から１１のいずれかに記載の車両用灯具。
【発明の詳細な説明】
【技術分野】
【０００１】
本発明は、導光板を用いた車両用灯具に係り、特に最大光度を含む配光パターンを形成することが可能な車両用灯具に関する。
【背景技術】
【０００２】
従来、一般的なプロジェクタ型ヘッドランプに用いられているリフレクタに代え、導光板を用いた車両用灯具が知られている（例えば特許文献１参照）。
【０００３】
図２５は、特許文献１に記載の車両用灯具２００を説明するための図である。
【０００４】
図２５（ａ）に示すように、特許文献１に記載の車両用灯具２００は、導光板２１０、光源２２０及び投影レンズ２３０を備えている。導光板２１０の投影レンズ２３０とは反対側の裏面２１１には、輝度制御要素（図示せず）が形成されており、導光板２１０の投影レンズ２３０側には、出射面２１２が形成されている。
【０００５】
特許文献１に記載の車両用灯具においては、導光板２１０内部に入射して導光され、輝度制御要素に到達した光源２２０からの光線は当該輝度制御要素によって出射面２１２に向けて反射され、出射面２１２を透過し、これにより、出射面２１２のほぼ全域にわたって、図２５（ｂ）示すような輝度分布が形成される。この輝度分布は、投影レンズ２３０によって反転、拡大投影され、これにより、所定配光パターンが形成される。
【先行技術文献】
【特許文献】
【０００６】
【特許文献１】特開２００８−１４０７２９号公報
【発明の概要】
【発明が解決しようとする課題】
【０００７】
しかしながら、特許文献１に記載の車両用灯具２００においては、図２５（ａ）に示すように、導光板２１０は平板形状の導光板であり、光源２２０はその導光板２１０の端面に対向した状態で配置されている関係上、出射面２１２上の水平線に対応するラインＬ近傍に光源２２０からの光線を集めることができないため、特許文献１で光源２２０として想定されているＬＥＤ光源の現状の明るさでは、ヘッドランプに要求される最大光度を含む配光パターンに対応する高輝度部分を含む輝度分布を形成することができないという問題がある。
【０００８】
また、特許文献１には、図２６に示すように、導光板２１０を傾斜させた状態で配置した例が開示されているが、導光板２１０は平板形状の導光板であるため、車両用灯具２００の奥行き寸法をそれ以上短くすることができないという問題もある。
【０００９】
本発明は、このような事情に鑑みてなされたものであり、ヘッドランプに要求される最大光度を含む配光パターンを形成することが可能な、導光板を用いた車両用灯具を提供することを第１の課題とする。また、車両用灯具の奥行き寸法を従来以上に短くすることが可能な、導光板を用いた車両用灯具を提供することを第２の課題とする。
【課題を解決するための手段】
【００１０】
上記課題を解決するため、請求項１に記載の発明は、光軸を含む水平面と像面との交線である焦点カーブが楕円形状又は円弧形状となる投影レンズ、可視光領域で透明な材料からなる導光板及び光源を備えた車両用灯具において、前記導光板は、基端部、前記基端部に対し、前記投影レンズの焦点カーブ近傍において前記投影レンズ側に湾曲した導光板本体、及び、反射面を含んでおり、前記導光板本体は、前記投影レンズ側に傾斜した第２出射面としての円柱面又は錐面、その反対側の第２裏面、及び、プリズム面を含んでおり、前記第２出射面の下端縁は、前記焦点カーブに沿った形状に形成されており、前記基端部は、前記光源から照射される光線を前記導光板内部に入射させるための入射面、前記第２出射面の下端縁を下方に引き延ばした第１出射面及びその反対側の第１裏面を含んでおり、前記第１出射面及び第２出射面は、前記投影レンズ側に形成されており、前記第１裏面及び第２裏面は、前記投影レンズとは反対側に形成されており、前記反射面は、前記第１裏面と第２裏面の間、又は、前記第１裏面に形成されており、前記プリズム面は、前記入射面から前記導光板内部に入射して導光され、当該プリズム面に到達した前記光源からの光線を、前記第１出射面及び第２出射面に対する入射角が臨界角内となるように当該第１出射面及び第２出射面に向けて反射し、当該第１出射面及び第２出射面上に輝度分布を形成するためのレンズカット面であり、前記反射面は、前記入射面から前記導光板内部に入射して導光され、当該反射面に到達した前記光源からの光線を、前記第１出射面及び第２出射面に対する入射角が臨界角内となるように前記投影レンズの焦点カーブ近傍に向けて反射し、前記第１出射面及び第２出射面上に周囲の輝度よりも高い高輝度部分を形成するための反射面であり、前記投影レンズは、前記第１出射面及び第２出射面上に形成された輝度分布を反転、拡大投影し、所定配光パターンを形成するためのレンズであることを特徴とする。
【００１１】
請求項１に記載の発明によれば、導光板本体は、基端部に対し、投影レンズの焦点カーブ近傍において投影レンズ側に湾曲しており、第１裏面と第２裏面の間（又は、第１裏面）には、反射面が形成されている。このため、入射面から導光板内部に入射して導光され、当該反射面に到達した光源からの光線は、当該反射面によって第１出射面及び第２出射面に対する入射角が臨界角内となるように投影レンズの焦点カーブ近傍に向けて反射され、第１出射面及び第２出射面から出射する。これにより、第１出射面及び第２出射面上に周囲の輝度よりも高い高輝度部分を含む輝度分布（ヘッドランプに要求される最大光度を含む配光パターンに対応する高輝度部分を含む輝度分布）が形成される。この高輝度部分を含む輝度分布は投影レンズによって反転、拡大投影される。これにより、ヘッドランプに要求される最大光度を含む配光パターンを形成することが可能となる。
【００１２】
また、請求項１に記載の発明によれば、導光板本体は、基端部に対し、投影レンズの焦点カーブ近傍において投影レンズ側に湾曲している。このため、導光板本体の光軸方向の寸法を短くすることが可能となる。このため、車両用灯具の奥行き寸法を従来以上に短くすることが可能となる。
【００１３】
また、請求項１に記載の発明によれば、第２出射面の下端縁は、投影レンズの焦点カーブに沿った形状に形成されている。このため、導光板本体（例えば、第１出射面と第２出射面の間の折れ線）を投影レンズの焦点カーブに沿わせた状態（例えば、第１出射面と第２出射面の間の折れ線が焦点カーブよりもやや上となるように）で配置することが可能となる。これにより、シェード上端縁を焦点カーブに合わせることができるため、明瞭なカットオフラインを有する配光パターンを形成することが可能となる。
【００１４】
また、請求項１に記載の発明によれば、導光板本体（第２出射面）が投影レンズを覆うこととなるため、当該導光板本体（第２出射面）を平板形状に形成する場合と比べ、投影レンズにより多くの光線を入射させること（光利用効率の向上）が可能となる。
【００１５】
請求項２に記載の発明は、請求項１に記載の発明において、前記反射面は、第１焦点が前記光源近傍に設定され、第２焦点が前記投影レンズの焦点カーブ近傍に設定された楕円系反射面であることを特徴とする。
【００１６】
請求項２に記載の発明によれば、導光板本体は、基端部に対し、投影レンズの焦点近傍において投影レンズ側に折り曲げられており、第１裏面と第２裏面の間（又は、第１裏面）には、楕円系反射面が形成されている。このため、入射面から導光板内部に入射して導光され、楕円系反射面に到達した光源からの光線は、当該楕円系反射面によって第１出射面及び第２出射面に対する入射角が臨界角内となるように投影レンズの焦点近傍（第２焦点）に向けて反射され、第１出射面及び第２出射面から出射する。これにより、第１出射面及び第２出射面上に周囲の輝度よりも高い高輝度部分を含む輝度分布（ヘッドランプに要求される最大光度を含む配光パターンに対応する高輝度部分を含む輝度分布）が形成される。この高輝度部分を含む輝度分布が投影レンズによって反転、拡大投影される。これにより、ヘッドランプに要求される最大光度を含む配光パターンを形成することが可能となる。
【００１７】
請求項３に記載の発明は、請求項２に記載の発明において、前記第１焦点は、前記導光板内部に入射して導光される前記光源からの光線が入射面で屈折することにより形成される虚像の中心近傍に設定されていることを特徴とする。
【００１８】
請求項３に記載の発明によれば、第１焦点を虚像の中心近傍に設定することでより高い最大光度が得られ、ヘッドランプに適した配光パターンを形成することが可能となる。
【００１９】
請求項４に記載の発明は、請求項１に記載の発明において、前記反射面は、前記第２裏面と傾斜角度が同一の平面形状又は曲面形状の反射面であることを特徴とする。
【００２０】
請求項４に記載の発明によれば、導光板本体は、基端部に対し、投影レンズの焦点近傍において投影レンズ側に折り曲げられており、第１裏面と第２裏面の間（又は、第１裏面）には、第２裏面と傾斜角度が同一の平面形状又は曲面形状の反射面が形成されている。このため、入射面から導光板内部に入射して導光され、反射面（第２裏面と傾斜角度が同一の平面形状又は曲面形状の反射面）に到達した光源からの光線は、当該反射面によって第１出射面及び第２出射面に対する入射角が臨界角内となるように投影レンズの焦点近傍に向けて反射され、第１出射面及び第２出射面から出射する。これにより、第１出射面及び第２出射面上に周囲の輝度よりも高い高輝度部分を含む輝度分布（ヘッドランプに要求される最大光度を含む配光パターンに対応する高輝度部分を含む輝度分布）が形成される。この高輝度部分を含む輝度分布が投影レンズによって反転、拡大投影される。これにより、ヘッドランプに要求される最大光度を含む配光パターンを形成することが可能となる。
【００２１】
請求項５に記載の発明は、請求項１に記載の発明において、前記反射面は、前記第２裏面と傾斜角度が異なる平面形状又は曲面形状の反射面であることを特徴とする。
【００２２】
請求項５に記載の発明によれば、導光板本体は、基端部に対し、投影レンズの焦点近傍において投影レンズ側に折り曲げられており、第１裏面と第２裏面の間（又は、第１裏面）には、第２裏面と傾斜角度が異なる平面形状又は曲面形状の反射面が形成されている。このため、入射面から導光板内部に入射して導光され、反射面（第２裏面と傾斜角度が異なる平面形状又は曲面形状の反射面）に到達した光源からの光線は、当該反射面によって第１出射面及び第２出射面に対する入射角が臨界角内となるように投影レンズの焦点近傍に向けて反射され、第１出射面及び第２出射面から出射する。これにより、第１出射面及び第２出射面上に周囲の輝度よりも高い高輝度部分を含む輝度分布（ヘッドランプに要求される最大光度を含む配光パターンに対応する高輝度部分を含む輝度分布）が形成される。この高輝度部分を含む輝度分布が投影レンズによって反転、拡大投影される。これにより、ヘッドランプに要求される最大光度を含む配光パターンを形成することが可能となる。
【００２３】
請求項６に記載の発明は、請求項４又は５に記載の発明において、前記反射面には、前記光源からの光線を、前記第１出射面及び第２出射面に対する入射角が臨界角内となるように前記投影レンズの焦点カーブ近傍に向けて反射し、前記第１出射面及び第２出射面上に周囲の輝度よりも高い高輝度部分を形成するためのプリズム面が形成されていることを特徴とする。
【００２４】
請求項６に記載の発明によれば、導光板本体は、基端部に対し、投影レンズの焦点近傍において投影レンズ側に折り曲げられており、第１裏面と第２裏面の間（又は、第１裏面）には、プリズム面が形成されている。このため、入射面から導光板内部に入射して導光され、反射面（プリズム面）に到達した光源からの光線は、当該プリズム面によって第１出射面及び第２出射面に対する入射角が臨界角内となるように投影レンズの焦点近傍に向けて反射され、第１出射面及び第２出射面から出射する。これにより、第１出射面及び第２出射面上に周囲の輝度よりも高い高輝度部分を含む輝度分布（ヘッドランプに要求される最大光度を含む配光パターンに対応する高輝度部分を含む輝度分布）が形成される。この高輝度部分を含む輝度分布が投影レンズによって反転、拡大投影される。これにより、ヘッドランプに要求される最大光度を含む配光パターンを形成することが可能となる。
【００２５】
請求項７に記載の発明は、請求項１から６のいずれかに記載の発明において、前記第１裏面及び第２裏面は、反射シートで覆われていることを特徴とする。
【００２６】
請求項７に記載の発明によれば、第１裏面及び第２裏面から外部に透過した光源からの光線は、反射シートによって再び導光板内部に戻されるため、光利用効率を向上させることが可能となる。
【００２７】
請求項８に記載の発明は、請求項７に記載の発明において、前記反射シートは、前記第１裏面又は前記第２裏面から外部に透過した前記光源からの光線を、再び前記導光板に入射させ、前記第２出射面を介して前記投影レンズに入射させるように反射する外側に凸の反射面を含んでいることを特徴とする。
【００２８】
請求項８に記載の発明によれば、第１裏面又は第２裏面から外部に透過した光源からの光線は、外側に凸の傾斜した反射面によって、再び導光板に入射し、第２出射面を介して投影レンズに入射するため、光利用効率を向上させることが可能となる。
【００２９】
請求項９に記載の発明は、請求項１から８のいずれかに記載の発明において、前記第１出射面は、水平線に対応するラインに沿って伸びる上端縁を有する反射シートで覆われていることを特徴とする。
【００３０】
請求項９に記載の発明によれば、第１出射面から外部に透過した光源からの光線は、反射シートによって再び導光板内部に戻されるため、光利用効率を向上させることが可能となる。また、請求項９に記載の発明によれば、第１出射面は、水平線に対応するラインに沿って伸びる上端縁を有する反射シートで覆われているため、すれ違いビームに適した明瞭なカットオフラインを有する配光パターンを形成することが可能となる。
【００３１】
請求項１０に記載の発明は、請求項１から９のいずれかに記載の発明において、前記第１出射面は、当該第１出射面に到達した光源１２からの光線を、導光板本体の端部に向けて反射する反射面として形成されていることを特徴とする。
【００３２】
請求項１０に記載の発明によれば、第１出射面に到達した光源からの光線は、当該第１出射面によって導光板本体の端部に向けて反射され、導光板本体に導光されるため、光利用効率を向上させることが可能となる。
【００３３】
請求項１１に記載の発明は、請求項１から１０のいずれかに記載の発明において、前記第１出射面と第２出射面の間には、前記第２出射面に近いほど傾斜が大きくなるように傾いた曲面が形成されていることを特徴とする。
【００３４】
請求項１１に記載の発明によれば、第１出射面と第２出射面の間に形成された曲面を透過する反射面からの反射光は、当該曲面の作用によって上側に曲げられる。このため、当該曲面を透過する反射面からの反射光は、投影レンズ（例えばシリンドリカルレンズ）の下半分にほとんど入射しない。
【００３５】
このため、請求項１１に記載の発明によれば、当該曲面を透過する反射面からの反射光が投影レンズ（例えばシリンドリカルレンズ）の下半分に入射することに起因するグレア光を防止又は低減することが可能となる。
【００３６】
請求項１２に記載の発明は、請求項１から１１のいずれかに記載の発明において、前記第２出射面は、前記投影レンズ側に傾斜した円柱面を当該円柱面の一端面と側面とを通る平面で切断することにより形成されるハーフドーム形状であることを特徴とする。
【００３７】
請求項１２に記載の発明によれば、ハーフドーム形状の導光板本体（第２出射面）が投影レンズを覆うこととなるため、当該導光板本体（第２出射面）を平板形状に形成する場合と比べ、投影レンズにより多くの光線を入射させること（光利用効率の向上）が可能となる。
【発明の効果】
【００３８】
本発明によれば、最大光度を含む配光パターンを形成することが可能な、導光板を用いた車両用灯具を提供することが可能となる。また、車両用灯具の奥行き寸法を従来以上に短くすることが可能な、導光板を用いた車両用灯具を提供することが可能となる。
【図面の簡単な説明】
【００３９】
【図１】（ａ）は、本発明の第１実施形態である車両用灯具の正面図、（ｂ）は、本発明の第１実施形態である車両用灯具の底面図、（ｃ）は、本発明の第１実施形態である車両用灯具の側面図である。
【図２】本発明の第１実施形態である車両用灯具に用いられる導光板ユニット１０の斜視図である。
【図３】本発明の第１実施形態である車両用灯具の断面図である。
【図４】投影レンズ２０の焦点カーブＦ３を説明するための図である。
【図５】導光板ユニット１０の正面図である。
【図６】導光板本体１１ｂの形状を説明するための図である。
【図７】導光板本体１１ｂ（プリズム面１１ｂ３）を説明するための断面図である。
【図８】反射面１１ｃ（楕円系反射面）を説明するための断面図である。
【図９】光源１２の虚像Ｆ０を説明するための図である。
【図１０】反射シート１３の変形例を説明するための図である。
【図１１】第１実施形態で起こり得る問題点を指摘するための図である。
【図１２】変形例１について説明するための図である。
【図１３】第１実施形態又は変形例１で起こり得る問題点を指摘するための図である。
【図１４】変形例２について説明するための図である。
【図１５】第１実施形態又は変形例１、２で起こり得る問題点を指摘するための図である。
【図１６】変形例３について説明するための図である。
【図１７】変形例４について説明するための図である。
【図１８】変形例５について説明するための図である。
【図１９】変形例６について説明するための図である。
【図２０】変形例７について説明するための図である。
【図２１】変形例７について説明するための図である。
【図２２】変形例８について説明するための図である。
【図２３】変形例８について説明するための図である。
【図２４】変形例２について説明するための図である。
【図２５】従来の導光板を用いた車両用灯具を説明するための図である。
【図２６】従来の導光板を用いた車両用灯具を説明するための図である。
【発明を実施するための形態】
【００４０】
以下、本発明の第１実施形態である車両用灯具について図面を参照しながら説明する。
【００４１】
本実施形態の車両用灯具１００は、ヘッドランプやフォグランプに適用されるものであり、図１（ａ）〜（ｂ）に示すように、導光板ユニット１０、投影レンズ２０などを備えている。本実施形態の車両用灯具１００においては、導光板ユニット１０（導光板１１）の投影レンズ２０側の面（第１及び第２出射面１１ａ２、１１ｂ１。図２、図３参照）に形成される輝度分布（光束発散度分布）が、投影レンズ２０によって反転、拡大投影されることで、所定配光パターンが形成されるようになっている。以下、本実施形態の車両用灯具１００をいわゆるプロジェクタ型のヘッドランプに適用した例について具体的に説明する。
【００４２】
まず、投影レンズ２０について説明する。
【００４３】
投影レンズ２０は、非球面凸レンズであり、可視光領域で透明な樹脂（例えば、アクリルやポリカーボネイトなどの透明又は半透明材料)を射出成型することにより（又はガラスにより）形成されている。投影レンズ２０は、図４に示すように、光軸ＡＸに対して水平方向の角度が異なる鉛直平面上で水平な複数の平行光線（図４は複数の平行光線Ｌ１〜Ｌ４等を例示）を出射面側（凸レンズ面側）から入射した場合に、入射面側に楕円形状（又は円弧形状）の焦点群Ｆ３（投影レンズ２０の無限遠方に対する湾曲像面と光軸ＡＸを通る水平面との交線。以下焦点カーブＦ３と称す）を形成する。
【００４４】
次に、導光板ユニット１０について説明する。
【００４５】
導光板ユニット１０は、図２、図３、図５に示すように、導光板１１、複数の光源１２、反射シート１３、１４などを備えている。
【００４６】
導光板１１は、図２、図３に示すように、基端部１１ａ、基端部１１ａに対し、投影レンズ２０の焦点カーブＦ３近傍において投影レンズ２０側に湾曲した導光板本体１１ｂ、反射面１１ｃなどを含んでおり、可視光領域で透明な材料（アクリルやポリカーボネイトなどの透明又は半透明樹脂など）を射出成型することにより一体的に形成されている。
【００４７】
導光板本体１１ｂは、図７に示すように、第２出射面１１ｂ１、その反対側の第２裏面１１ｂ２、複数のプリズム面１１ｂ３（鋸歯形状のプリズムアレイ）などを含んでいる。なお、導光板本体１１ｂに入射した光線を全て出射させるため、図３に示すように、導光板本体１１ｂの断面形状は、先端に近づくにつれて先細りの形状となっている。
【００４８】
第２出射面１１ｂ１は、図２、図３に示すように、投影レンズ２０側に傾斜した円柱面（又は円錐面や円錐台面等の錐面）である。第２出射面１１ｂ１は、例えば、図６に示すように、投影レンズ２０側に傾斜した円柱面Ｃを当該円柱面Ｃの一端面Ｃ１と側面Ｃ２とを通る平面Ｐで切断することによりハーフドーム形状に形成されている。本実施形態では、円柱面Ｃは投影レンズ２０に入射する光線量が最大となるように、当該投影レンズ２０に対して傾斜しており、かつ、円柱面Ｃの半径は当該円柱面Ｃの切断面Ｓ（楕円の一部）が投影レンズ２０の焦点カーブＦ３に沿うように（近づくように）調整されている。これにより、第２出射面１１ｂ１の下端縁は、投影レンズ２０の焦点カーブＦ３に沿った形状に形成される。
【００４９】
このため、図３等に示すように、導光板本体１１ｂ（例えば、第１出射面１１ａ２と第２出射面１１ｂ１の間の折れ線Ｌ１）を投影レンズ２０の焦点カーブＦ３に沿わせた状態（例えば、第１出射面１１ａ２と第２出射面１１ｂ１の間の折れ線Ｌ１が焦点カーブＦ３よりもやや上となるように）で配置することが可能となる。これにより、シェード（例えば表側反射シート１３）を用いることなく、明瞭なカットオフラインを有する配光パターンを形成することが可能となる。
【００５０】
また、ハーフドーム形状の導光板本体１１ｂ（第２出射面１１ｂ１）が投影レンズ２０を覆うこととなるため（図１（ｂ）参照）、当該導光板本体１１ｂ（第２出射面１１ｂ１）を平板形状に形成する場合と比べ、投影レンズ２０により多くの光線を入射させること（光利用効率の向上）が可能となる。
【００５１】
なお、円柱面Ｃの傾きは、当該円柱面Ｃを平面Ｐで切断したときに断面Ｓに現れる楕円（の一部）がどれだけ焦点カーブＦ３に近いかと、投影レンズ２０への入光効率のバランスとを見て定めるのが好ましい。
【００５２】
第２出射面１１ｂ１は、導光板本体１１ｂの投影レンズ２０側に形成されており、第２裏面１１ｂ２は、導光板本体１１ｂの投影レンズ２０とは反対側に形成されている。
【００５３】
導光板本体１１ｂは、基端部１１ａに対し、投影レンズ２０の焦点カーブＦ３近傍において投影レンズ２０側に湾曲している（図３参照）。このため、導光板本体１１の光軸方向の寸法を短くすることが可能となる。このため、車両用灯具１００の奥行き寸法を従来以上に短くすることが可能となる。
【００５４】
基端部１１ａは、図３に示すように、入射面１１ａ１、第１出射面１１ａ２、その反対側の第１裏面１１ａ３などを含んでいる。
【００５５】
入射面１１ａ１は、光源１２からの照射光（光線又は光束ともいう）を導光板１１内部に入射させるための入光面であり、例えば、図３に示す断面形状１１ａ１が焦点カーブＦ３に沿って延びる水平面として、基端部１１ａの下端に形成されている（図２参照）。
【００５６】
第１出射面１１ａは、図２、図３に示すように、第２出射面１１ｂ１の下端縁（図６で示す切断面Ｓ）を下方に引き延ばした形状であり、本実施形態では、図３に示す断面形状１１ａ２が焦点カーブＦ３に沿って延びる鉛直面として、基端部１１ａの投影レンズ２０側に形成されている（図２参照）。第１裏面１１ａ３は、例えば、図３に示す断面形状１１ａ３が焦点カーブＦ３に沿って延びる鉛直面として、基端部１１ａの投影レンズ２０とは反対側に形成されている（図２参照）。第１出射面１１ａ２と第１裏面１１ａ３の間の基端部１１ａにより、助走区間が形成される。
【００５７】
図３、図５に示すように、第１出射面１１ａ２の一部は、表側反射シート１３で覆われており、第１裏面１１ａ３は、裏側反射シート１４で覆われている。
【００５８】
入射面１１ａ１には、図１（ｃ）等に示すように、複数の光源１２が光軸を上に向け、発光面１２ａを導光板１１の入射面１１ａ１に面接触させた状態で入射面１１ａ１に沿って配置されており、例えば、透明樹脂などで当該入射面１１ａ１に固定されている。
【００５９】
光源１２は、例えば、白色（又はＲＧＢ三色）の一つ（又は複数）のＬＥＤチップをパッケージ化したＬＥＤパッケージなどのＬＥＤ光源（又は、入光面１１ａ１に沿って湾曲させた冷陰極蛍光ランプ（CCFL）などの線状光源）である。
【００６０】
本実施形態では、ｍａｘ光度を得るため、図１（ｂ）に示すように、投影レンズ２０の光軸ＡＸを含む鉛直断面上に、少なくとも一つの光源１２が配置されている。また、拡散された配光パターンを形成するため、光軸ＡＸから両側にシフトした位置にも光源１２が配置されている。
【００６１】
複数のプリズム面１１ｂ３は、図７に示すように、第２裏面１１ｂ２に形成された複数のレンズカット面である。複数のプリズム面１１ｂ３は、入射面１１ａ１から導光板１１内部に入射して導光され、当該複数のプリズム面１１ｂ３に到達した光源１２からの光線を、第１及び第２出射面１１ａ２、１１ｂ１に対する入射角が臨界角内となるように当該第１及び第２出射面１１ａ２、１１ｂ１に向けて反射し、当該第１及び第２出射面１１ａ２、１１ｂ１上に輝度分布を形成する。
【００６２】
次に、プリズム面１１ｂ３の作用について説明する。
【００６３】
導光板本体１１ｂに導光された各光源１２からの光線は、図７に示すように、各プリズム面１１ｂ３と第２出射面１１ｂ１で全反射を繰り返す。この光線の第２出射面１１ｂ１に対する入射角は、各プリズム面１１ｂ３で全反射されるごとに小さくなる。このため、導光板本体１１ｂに導光された各光源１２からの光線は、やがて入射角が臨界角内に達し、その時点で第１及び第２出射面１１ａ２、１１ｂ１から出射される。これにより、第１及び第２出射面１１ａ２、１１ｂ１のほぼ全域にわたって、輝度分布（光束発散度分布）が形成される。
【００６４】
第１及び第２出射面１１ａ２、１１ｂ１から出射される光線量は、プリズム面１１ｂ３のプリズム角α（頂角）が大きくなるにつれて増加する。このため、プリズム面１１ｂ３のプリズム角αを調整することで、第１及び第２出射面１１ａ２、１１ｂ１のほぼ全域にわたってヘッドランプに適した輝度分布（光束発散度分布）を形成することが可能となる。例えば、反射面１１ｃから離れるにつれ、プリズム角αを徐々に変化させることで、高輝度から低輝度に自然に変化する輝度分布を形成することが可能となる。また、プリズム面１１ｂ３のプリズム角αを調整することで、第１及び第２出射面１１ａ２、１１ｂ１のほぼ全域にわたってヘッドランプ以外の例えばフォグランプに適した輝度分布（光束発散度分布）を形成することも可能となる。
【００６５】
次に、反射面１１ｃの技術的意義について説明する。
【００６６】
反射面１１ｃは、図３などに示すように、第２裏面１１ｂ２と第１裏面１１ａ３の間に形成されている。
【００６７】
反射面１１ｃは、例えば、第１焦点Ｆ１が光源１２近傍（例えば、図８に示す光源１２の虚像Ｆ０の中心近傍）に設定され、第２焦点Ｆ２が投影レンズ２０の焦点カーブＦ３近傍に設定された楕円系反射面であり、ｍａｘ光度を得るため、図８に示すように、光源１２の光軸を含む所定範囲に形成されている。反射面１１ｃは、図８に示すように、入射面１１ａ１から導光板１１内部に入射して導光され、当該反射面１１ｃに到達した光源１２からの光線を、第１及び第２出射面１１ａ２、１１ｂ１に対する入射角が臨界角内となるように投影レンズ２０の焦点カーブＦ３近傍に向けて反射し、当該第１及び第２出射面１１ａ２、１１ｂ１上に周囲の輝度よりも高い高輝度部分を形成する。
【００６８】
図９に示すように、光源１２（発光面１２ａ）から照射された光線は、入射面１１ａ１で内側に屈折する。この屈折した光線は、図９に示す虚像Ｆ０から照射されたとみなせる。第１焦点Ｆ１は、この光源１２の虚像Ｆ０の中心近傍に設定されている。このように、第１焦点Ｆ１を虚像Ｆ０の中心近傍に設定することで、第２焦点Ｆ２への集光性が上がり、Ｆ２付近の出射面がより高輝度になるため、高い最大光度が得られ、ヘッドランプに適した配光パターンを形成することが可能となる。なお、虚像Ｆ０の位置、大きさ及びピントの合い具合は入射面１１ａ１の形状及び第２出射面１１ｂ１の大きさなどから決まる。発光面１２ａが平面の場合、比較的ぼやけた像となる。
【００６９】
図８に示すように、導光板１１内部に入射して導光され、反射面１１ｃに到達した光源１２からの光線は、当該反射面１１ｃで第１及び第２出射面１１ａ２、１１ｂ１に向けて反射され、当該第１及び第２出射面１１ａ２、１１ｂ１を透過し、投影レンズ２０の焦点カーブＦ３近傍（第２焦点Ｆ２）に集光する。これにより、第１及び第２出射面１１ａ２、１１ｂ１に周囲の輝度よりも高い高輝度部分が形成される。
【００７０】
例えば、図３、図８に示すように、第２焦点Ｆ２を投影レンズ２０の焦点カーブＦ３に対してやや上側（例えば上側１ｍｍの位置）に設定した場合には、第１及び第２出射面１１ａ２、１１ｂ１の水平線に対応するラインＬよりも上側約１°の部分に、周囲の輝度よりも高い高輝度部分が形成される。この高輝度部分を含む輝度分布（光束発散度分布）は、投影レンズ２０によって反転、拡大投影される。これにより、水平線よりも下側部分（例えば下側約１°に対応する範囲）の光度が周囲の光度よりも高いすれ違いビームに適した配光パターンが形成される。
【００７１】
また、例えば、第２焦点Ｆ２を投影レンズ２０の焦点カーブＦ３に設定した場合には、第１及び第２出射面１１ａ２、１１ｂ１の水平線と鉛直線の交点に対応する部分に、周囲の輝度よりも高い高輝度部分が形成される。この高輝度部分を含む輝度分布（光束発散度分布）は、投影レンズ２０によって反転、拡大投影される。これにより、水平線と鉛直線の交点近傍の光度が周囲の光度よりも高い走行ビームに適した配光パターンが形成される。なお、走行ビームに適した配光パターンを形成する場合、表側反射シート１３を省略するのが好ましい。
【００７２】
表側反射シート１３は、第１出射面１１ａ２から外部に透過した光源１２からの光線を反射し、再び導光板１１に入射させるための反射シートであり、図３、図５に示すように、第１出射面１１ａ２の水平線に対応するラインＬよりも下側を覆っている。裏側反射シート１４は、第１裏面１１ａ３及び第２裏面１１ｂ２から外部に透過した光源１２からの光線を反射し、再び導光板本体１１ｂに入射させるための反射シートであり、第１裏面１１ａ３及び第２裏面１１ｂ２を覆っている。
【００７３】
第１裏面１１ａ３及び第２裏面１１ｂ２などから外部に透過した光源１２からの光線は、各反射シート１３、１４によって再び導光板１１内部に戻されるため、光利用効率を向上させることが可能となる。各反射シート１３、１４は、例えば、銀、アルミなどの金属蒸着シート、発砲樹脂シートなどの高反射率シートである。なお、各反射シート１３、１４は、各面１１ａ３などに対して平行に配置するのが好ましい。
【００７４】
表側反射シート１３は、図３、図５に示すように、第１及び第２出射面１１ｂ１、１１ａ２から投影レンズ２０に向けて照射される光線の一部を遮蔽し、カットオフラインを形成するシェードの役割を兼ねている。表側反射シート１３にシェードの役割を持たせるため、当該表側反射シート１３は、上端縁１３ａ（中央にＺ型の段差部が形成されている）が投影レンズ２０の焦点カーブＦ３に沿うように湾曲した状態で配置されている。この表側反射シート１３により、すれ違いビームに適した明瞭なカットオフラインを有する配光パターンを形成することが可能となる。
【００７５】
上記構成の車両用灯具１００よれば、基端部１１ａから入射した各光源１２からの光線は、図７、図８に示すように、基端部１１ａの助走区間（第１出射面１１ａ２と第１裏面１１ａ３の間の基端部１１ａ）を通過することで輝度ムラが低減された後、導光板本体１１ｂに導光される（又は、反射面１１ｃに到達する）。
【００７６】
図７に示すように、導光板本体１１ｂに導光された各光源１２からの光線は、各プリズム１１ｄと第２出射面１１ｂ１で全反射を繰り返す。この光線の第２出射面１１ｂ１に対する入射角は、各プリズム面１１ｂ３で全反射されるごとに小さくなる。このため、導光板本体１１ｂに導入された各光源１２からの光線は、やがて入射角が臨界角内に達し、その時点で第１及び第２出射面１１ａ２、１１ｂ１から出射される。これにより、第１及び第２出射面１１ａ２、１１ｂ１のほぼ全域にわたって、輝度分布（光束発散度分布）が形成される。
【００７７】
一方、図８に示すように、反射面１１ｃに到達した各光源１２からの光線は、当該反射面１１ｃで第１及び第２出射面１１ａ２、１１ｂ１に向けて反射され、当該第１及び第２出射面１１ａ２、１１ｂ１を透過し、投影レンズ２０の焦点カーブＦ３近傍（第２焦点Ｆ２）に集光する。これにより、第１及び第２出射面１１ａ２、１１ｂ１に周囲の輝度よりも高い輝度部分が形成される。
【００７８】
以上のようにして、第１及び第２出射面１１ａ２、１１ｂ１には、高輝度部分を含む輝度分布（光束発散度分布）が形成される。
【００７９】
なお、図７に示すように、基端部１１ａの第１出射面１１ａ２、並びに、第１裏面１１ａ３及び導光板本体１１ｂの第２裏面１１ｂ２から外部に透過した光線は、裏側反射シート１４（表側反射シート１３）によって再び導光板１１内部に戻され、第１及び第２出射面１１ａ２、１１ｂ１から出射されるため、光利用効率を向上させることが可能となる。
【００８０】
以上説明したように、本実施形態の車両用灯具１００によれば、導光板本体１１ｂは、基端部１１ａに対し、投影レンズ２０の焦点カーブＦ３近傍において投影レンズ２０側に湾曲しており、第１裏面１１ａ３と第２裏面１１ｂ２の間には楕円系反射面としての反射面１１ｃが形成されている（図３参照）。このため、図８に示すように、入射面１１ａ１から導光板１１内部に入射して導光され、当該反射面１１ｃに到達した光源１２からの光線は、当該反射面１１ｃによって第１出射面１１ａ２及び第２出射面１１ｂ１（主に第１出射面１１ａ２）に対する入射角が臨界角内となるように投影レンズ２０の焦点カーブＦ３（第２焦点Ｆ２）近傍に向けて反射され、第１出射面１１ａ２及び第２出射面１１ｂ１から出射する。これにより、第１出射面１１ａ２及び第２出射面１１ｂ１上に周囲の輝度よりも高い高輝度部分を含む輝度分布（ヘッドランプに要求される最大光度を含む配光パターンに対応する高輝度部分を含む輝度分布）が形成される。この高輝度部分を含む輝度分布は投影レンズ２０によって反転、拡大投影される。これにより、ヘッドランプに要求される最大光度を含む配光パターンを形成することが可能となる。
【００８１】
また、本実施形態の車両用灯具１００によれば、図３などに示すように、導光板本体１１ｂは、基端部１１ａに対し、投影レンズ２０の焦点カーブＦ３近傍において投影レンズ２０側に湾曲している。このため、導光板本体１１ｂの光軸ＡＸ方向の寸法を短くすることが可能となる。このため、車両用灯具１００の奥行き寸法を従来以上に短くすることが可能となる。
【００８２】
また、本実施形態の車両用灯具１００によれば、第２出射面１１ｂ１の下端縁は、投影レンズ２０の焦点カーブＦ３に沿った形状に形成されている。このため、導光板本体１１ｂ（例えば、第１出射面１１ａ２と第２出射面１１ｂ１の間の折れ線Ｌ１）を投影レンズ２０の焦点カーブＦ３に沿わせた状態（例えば、第１出射面１１ａ２と第２出射面１１ｂ１の間の折れ線Ｌ１が焦点カーブＦ３よりもやや上となるように）で配置することが可能となる（図３等参照）。これにより、シェード（例えば表側反射シート１３）を用いることなく、明瞭なカットオフラインを有する配光パターンを形成することが可能となる。
【００８３】
また、本実施形態の車両用灯具１００によれば、ハーフドーム形状の導光板本体（第２出射面）が投影レンズ２０を覆うこととなるため（図１（ｂ）参照）、当該導光板本体１１ｂ（第２出射面１１ｂ１）を平板形状に形成する場合と比べ、投影レンズ２０により多くの光線を入射させること（光利用効率の向上）が可能となる。
【００８４】
また、本実施形態の車両用灯具１００によれば、投影レンズ２０として、シリンドリカルレンズと比べて安価な非球面凸レンズを用いることができるため、車両用灯具１００を安価に構成することが可能となる。
【００８５】
また、本実施形態の車両用灯具１００によれば、導光板本体１１は回転体（円筒Ｃベース）であるため、複数のプリズム面１１ｂ３の金型加工を容易に行うことが可能となる。すなわち、導光板本体１１が平面の場合には、複数のプリズム面１１ｂはリニア加工機を用い、バイトで金型を直線状に引掻いて加工する。一方、導光板本体１１が自由曲面の場合には、５軸ＮＣ加工機を用い、工具を回転させて加工することとなる。このため、リニア加工機と比べ、どうしてもプリズム先端のＲが大きく、効率が悪い。しかし、本実施形態では、導光板本体１１は回転体（円筒Ｃベース）であるため、旋盤で金型を回転させ、バイトで引掻くことで、リニア加工機と同様にプリズム先端のＲを小さくすることが可能となり、効率が良い。
【００８６】
上記実施形態では、投影レンズ２０に入射する光線量が最大となるように傾斜させた円筒Ｃを平面Ｐで切断するとともに、円筒Ｃの切断面Ｓ（楕円の一部）が投影レンズ２０の焦点カーブＦ３に近づくように（沿うように）円筒Ｃの半径を調整することで、導光板本体１１ｂを形成する例について説明したが、本発明はこれに限定されない。
【００８７】
例えば、投影レンズ２０への入光効率を上げるため、投影レンズ１０の開口径にあうように円筒Ｃの半径と傾きを決定してもよい。この場合、第１出射面１１ａ２が焦点カーブＦ３から離れている部分のカットオフラインがピンボケとなり、グレア光が増える。この対策として、例えば、図１０に示すように、表側反射シート１３の形状を正面視において両端が上に反った形状とすることで、グレア光を防止し、水平なカットオフラインを形成することが可能となる。
【００８８】
次に、変形例１について説明する。
【００８９】
図１１、第１実施形態で起こり得る問題点を指摘するための図である。図１２は、変形例１について説明するための図である。
【００９０】
上記第１実施形態では、助走区間を構成する第１出射面１１ａ２は、鉛直面であるように説明した（図３参照）。
【００９１】
しかし、図１１に示すように、助走区間を構成する第１出射面１１ａ２が鉛直面であると、助走区間の長さと反射面１１ｃ（楕円系反射面）の形状によっては、第１出射面１１ａ２で反射した光源１２からの光線が反射面１１ｃ（又は裏側反射シート１４）で入射面１１ａ１側に向けて反射されるため、光利用効率が低下する。
【００９２】
この問題を解決するため、本変形例１では、図１２に示すように、第１出射面１１ａ２は、当該第１出射面１１ａ２に到達した光源１２からの光線を、導光板本体１１ｂの端部に向けて反射する反射面として形成されている。図１２は、第１出射面１１ａ２を、投影レンズ２０側に傾いた斜面（すなわち、入射面１１ａ１から離れるにつれて基端部１１ａが厚くなるように傾いた斜面）として形成した例である。この斜面は、曲面であってもよいし、平面であってもよい。
【００９３】
本変形例１によれば、第１出射面１１ａ２に到達した光源１２からの光線は、当該第１出射面１１ａ２によって導光板本体１１ｂの端部に向けて反射され、導光板本体１１ｂに導光されるため、光利用効率を向上させることが可能となる。
【００９４】
なお、図１２では、表側反射シート１３を斜面としての第１出射面１１ａ２に沿わせた状態で配置しているが、光源１２からの光線の入射角は通常、臨界角よりも大きいため、第１出射面１１ａ２で全反射する。このため、第１出射面１１ａ２を表側反射シート１３で覆わなくても、光源１２からの光線が第１出射面１１ａ２から外部へ透過することがない。
【００９５】
次に、変形例２について説明する。
【００９６】
図１３は、第１実施形態又は変形例１で起こり得る問題点を指摘するための図である。図１４、図２４は、変形例２について説明するための図である。
【００９７】
図１３に示すように、助走区間の形状によっては、助走区間を構成する第１裏面１１ａ３の下部と第１出射面１１ａ２で反射した光源１２からの光線が反射面１１ｃ（又は反射シート１４）で入射面１１ａ１側に向けて反射されるため、光利用効率が低下する可能性がある。
【００９８】
この問題を解決するため、本変形例２では、図１４、図２４に示すように、第１出射面１１ａ２と第２出射面１１ｂ１の間は、当該第１出射面１１ａ２に到達した光源１２からの光線を、導光板本体１１ｂの端部に向けて反射する反射面（コーナＲ）として形成されている。このコーナＲは、第２出射面１１ｂ１に近くなる程傾斜が大きくなるように傾いた曲面になっている。
【００９９】
本変形例２によれば、反射面（コーナＲ）に到達した第１裏面１１ａ３の下部からの反射光は、当該反射面（コーナＲ）によって導光板本体１１ｂの端部に向けて反射され、導光板本体１１ｂに導光されるため、光利用効率を向上させることが可能となる。
【０１００】
次に、変形例３について説明する。
【０１０１】
図１５は、第１実施形態又は変形例１、２で起こり得る問題点を指摘するための図である。図１６は、変形例３について説明するための図である。
【０１０２】
図１５に示すように、各プリズム面１１ｂ３で全反射されず、第２裏面１１ｂ２から外部に透過し、裏側反射シート１４によって再び導光板１１内部に戻される光線（例えば、光源１２の発光面１２ａの中央ではなく端からの光線）が存在する。この光線は、裏側反射シート１４で反射されるため、第１及び第２出射面１１ａ２、１１ｂ１から下向きに出射され、投影レンズ２０に入射しない。このため、光利用効率が低下する。
【０１０３】
この問題を解決するため、本変形例３では、図１６に示すように、反射シート１４は、第２裏面１１ｂ２又は反射面１１ｃから外部に透過した光源１２からの光線を、再び導光板１１に入射させ、第２出射面１１ｂ１を介して投影レンズ２０に入射させるように反射する、外側に凸の傾斜した反射面１４ａを含んでいる。当該外側に凸の傾斜した反射面１４ａは、例えば、全反射光と透過光が混在する第２裏面１１ｂ２と反射面１１ｃの境界近傍を覆っている。
【０１０４】
本変形例３によれば、第２裏面１１ｂ２又は反射面１１ｃから外部に透過した光源１２からの光線は、外側に凸の傾斜した反射面１４ａによって、再び導光板１１に入射し、第２出射面１１ｂ１を介して投影レンズ２０に入射する。このため、光利用効率を向上させることが可能となる。
【０１０５】
次に、変形例４について説明する。
【０１０６】
図１７は、変形例４について説明するための図である。
【０１０７】
上記第１実施形態では、反射面１１ｃ（楕円系反射面）を、導光板本体１１ｂの第２裏面１１ｂ２と基端部１１ａの第１裏面１１ａ３の間に形成した例について説明した（図３参照）が、本発明はこれに限定されない。
【０１０８】
例えば、図１７に示すように、反射面１１ｃ（楕円系反射面）を、導光板本体１１ｂの第２裏面１１ｂ２にまで形成することで、反射面１１ｃの反射領域を広げてもよい。本変形例４によれば、光利用効率を向上させることが可能となる。
【０１０９】
次に、変形例５について説明する。
【０１１０】
図１８は、変形例５について説明するための図である。
【０１１１】
上記第１実施形態では、反射面１１ｃは、楕円系反射面であるように説明した（図３参照）が、本発明はこれに限定されない。
【０１１２】
例えば、図１８に示すように、反射面１１ｃは、第２裏面１１ｂ１と傾斜角度が同一の平面形状（又は曲面形状）の反射面であってもよい。この場合、反射面１１ｃからの反射光が投影レンズ２０の焦点カーブＦ３に向かうように、導光板本体１１ｂを基端部１１ａに対し、投影レンズ２０の焦点カーブＦ３近傍において投影レンズ２０側に折り曲げることが好ましい。
【０１１３】
本変形例５によれば、入射面１１ａ１から導光板１１内部に入射して導光され、反射面１１ｃ（第２裏面１１ｂ２と傾斜角度が同一の平面形状又は曲面形状の反射面）に到達した光源１２からの光線は、当該反射面１１ｃによって第１出射面１１ａ２及び第２出射面１１ｂ１に対する入射角が臨界角内となるように投影レンズ２０の焦点カーブＦ３近傍に向けて反射され、第１出射面１１ａ２及び第２出射面１１ｂ１から出射する。これにより、第１出射面１１ａ２及び第２出射面１１ｂ１上に周囲の輝度よりも高い高輝度部分を含む輝度分布（ヘッドランプに要求される最大光度を含む配光パターンに対応する高輝度部分を含む輝度分布）が形成される。この高輝度部分を含む輝度分布が投影レンズ２０によって反転、拡大投影される。これにより、ヘッドランプに要求される最大光度を含む配光パターンを形成することが可能となる。
【０１１４】
なお、図１８では、光源１２からの光線が導光板本体１１ｂの第２裏面１１ｂ２の一部（反射面１１ｃ）で全反射しても、透過してもよい。なぜなら、導光板本体１１ｂの第２裏面１１ｂ２の一部（反射面１１ｃ）にはプリズム面１１ｂ３が形成されていないため、裏側反射シート１４の法線を第２裏面１１ｂ２と同じにできる。このため、第２裏面１１ｂ２を透過しても、裏側反射シート１４で反射され、再び導光板１１の中に戻った光線の向きは、導光板本体１１ｂの第２裏面１１ｂ２の一部（反射面１１ｃ）で全反射された光線の向きと同じになるからである。
【０１１５】
次に、変形例６について説明する。
【０１１６】
図１９は、変形例６について説明するための図である。
【０１１７】
上記第１実施形態では、反射面１１ｃは、楕円系反射面であるように説明した（図３参照）が、本発明はこれに限定されない。
【０１１８】
例えば、図１９に示すように、反射面１１ｃには、光源１２からの光線（及び反射シート１４からの反射光）を、第１出射面１１ｂ１及び第２出射面１１ａ２に対する入射角が臨界角内となるように投影レンズ２０の焦点カーブＦ３近傍に向けて反射し、第１出射面１１ｂ１及び第２出射面１１ａ２上に周囲の輝度よりも高い高輝度部分を形成するためのプリズム面１１ｂ４が形成されていてもよい。
【０１１９】
本変形例６によれば、入射面１１ａ１から導光板１１内部に入射して導光され、反射面１１ｃ（プリズム面１１ｂ４）に到達した光源１２からの光線は、当該プリズム面１１ｂ４によって第１出射面１１ａ２及び第２出射面１１ｂ１に対する入射角が臨界角内となるように投影レンズ２０の焦点カーブＦ３近傍に向けて反射され、第１出射面１１ａ２及び第２出射面１１ｂ１から出射する。これにより、第１出射面１１ａ２及び第２出射面１１ｂ１上に周囲の輝度よりも高い高輝度部分を含む輝度分布（ヘッドランプに要求される最大光度を含む配光パターンに対応する高輝度部分を含む輝度分布）が形成される。この高輝度部分を含む輝度分布が投影レンズ２０によって反転、拡大投影される。これにより、ヘッドランプに要求される最大光度を含む配光パターンを形成することが可能となる。
【０１２０】
次に、変形例７について説明する。
【０１２１】
図２０、図２１は、変形例７について説明するための図である。
【０１２２】
上記第１実施形態では、反射面１１ｃは、楕円系反射面であるように説明した（図３参照）が、本発明はこれに限定されない。
【０１２３】
例えば、図２０に示すように、反射面１１ｃは、第２裏面１１ｂ１と傾斜角度が異なる平面形状の反射面であってもよいし、又は、図２１に示すように、曲面形状（所定曲率の曲面）の反射面であってもよい。反射面１１ｃが図２１に示す曲面形状の場合、光源１２が導光板１１の厚さに比べて大きく、平行光線に近い光源１２からの光線を、投影レンズ２０の焦点カーブＦ３近傍に向けて反射することが可能となる。
【０１２４】
本変形例７によれば、入射面１１ａ１から導光板１１内部に入射して導光され、反射面１１ｃ（第２裏面１１ｂ２と傾斜角度が異なる平面形状又は曲面形状の反射面）に到達した光源１２からの光線は、当該反射面１１ｃによって第１出射面１１ａ２及び第２出射面１１ｂ１に対する入射角が臨界角内となるように投影レンズ２０の焦点カーブＦ３近傍に向けて反射され、第１出射面１１ａ２及び第２出射面１１ｂ１から出射する。これにより、第１出射面１１ａ２及び第２出射面１１ｂ１上に周囲の輝度よりも高い高輝度部分を含む輝度分布（ヘッドランプに要求される最大光度を含む配光パターンに対応する高輝度部分を含む輝度分布）が形成される。この高輝度部分を含む輝度分布が投影レンズ２０によって反転、拡大投影される。これにより、ヘッドランプに要求される最大光度を含む配光パターンを形成することが可能となる。
【０１２５】
次に、変形例８について説明する。
【０１２６】
図２２、図２３は、変形例８について説明するための図である。
【０１２７】
上記第１実施形態及び各変形例１〜６では、プリズム面１１ｂ３を、導光板本体１１ｂの第２裏面１１ｂ２に形成した例について説明した（図４参照）が、本発明はこれに限定されない。
【０１２８】
例えば、図２２に示すように、プリズム面１１ｂ３を、導光板本体１１ｂの第２出射面１１ｂ１に形成してもよいし、図２３に示すように、導光板本体１１ｂの第２裏面１１ｂ２及び第２出射面１１ｂ１の両面に形成してもよい。
【０１２９】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【０１３０】
１００…車両用灯具、１０…導光板ユニット、１１…導光板、１１ａ…基端部、１１ａ１…入射面（入光面）、１１ａ２…出射面、１１ａ３…裏面、１１ｂ…導光板本体、１１ｂ１…出射面、１１ｂ２…裏面、１１ｂ    導光板本体、１１ｂ３…プリズム面、１１ｂ４…プリズム面、１１ｃ…反射面、１１ｄ…プリズム、１２…光源、１２ａ…発光面、１３…表側反射シート、１３ａ…上端縁、１４…裏側反射シート、２０…投影レンズ、２１…出射面、２２…入射面
【図１】
2010212203.tif 000003
【図２】
2010212203.tif 000004
【図３】
2010212203.tif 000005
【図４】
2010212203.tif 000006
【図５】
2010212203.tif 000007
【図６】
2010212203.tif 000008
【図７】
2010212203.tif 000009
【図８】
2010212203.tif 000010
【図９】
2010212203.tif 000011
【図１０】
2010212203.tif 000012
【図１１】
2010212203.tif 000013
【図１２】
2010212203.tif 000014
【図１３】
2010212203.tif 000015
【図１４】
2010212203.tif 000016
【図１５】
2010212203.tif 000017
【図１６】
2010212203.tif 000018
【図１７】
2010212203.tif 000019
【図１８】
2010212203.tif 000020
【図１９】
2010212203.tif 000021
【図２０】
2010212203.tif 000022
【図２１】
2010212203.tif 000023
【図２２】
2010212203.tif 000024
【図２３】
2010212203.tif 000025
【図２４】
2010212203.tif 000026
【図２５】
2010212203.tif 000027
【図２６】
2010212203.tif 000028